(57)【特許請求の範囲】
【請求項１】
居住者を認証する認証装置と、居住者宛の宅配物を保存する宅配物ロッカーと、前記認証装置によって自動的に開錠または開放されるエントランス扉と備え、前記認証装置は、帰宅した居住者の認証が成功すると、前記エントランス扉を開錠または開放させると共に、前記宅配物ロッカーに該居住者宛の宅配物が保存されているか否かを判断して、前記宅配物が保存されていれば、所定の音声を出力して、宅配物が保存されていることを報知するようにした集合住宅用セキュリティシステムにおいて、
各住戸に設置された住戸端末装置は、前記音声に関するユーザ設定として、言語の種別を登録操作するための操作部を備え、
前記認証装置は、前記宅配物が保存されていることを報知する際には、前記住戸端末装置で登録操作された種別の音声言語を選択して出力することを特徴とした集合住宅用セキュリティシステム。
【請求項２】
請求項１において、
前記住戸端末装置は、前記ユーザ設定として、前記音声の音量を登録する構成であり、
前記認証装置は、前記住戸端末装置で登録された音量で、前記音声を出力することを特徴とした集合住宅用セキュリティシステム。
【発明の詳細な説明】
【技術分野】
【０００１】
本発明は、マンション等の集合住宅に設置されるセキュリティシステムの改良に関する。
【背景技術】
【０００２】
近時、セキュリティに配慮したマンション等には、エントランス扉近傍の認証装置によって居住者を認証し、エントランス扉を解錠するようにしたシステムが設置されている。このようなシステムの中には、ロビー内に配置された宅配物ロッカーを監視して、上記認証が成功すると、認証装置は、住戸宛に宅配物が届いていることを音声で報知する機能を有したシステムもある。
【０００３】
なお、次の特許文献１には、建物のエントランス扉近傍に設置された応答装置から音声を出力する機能を有したシステムの先行例として、建物に設けられた扉体又はその付近に設置される応答装置と、扉体の付近にいる相手が誰であるかを判定する判定手段と、判定手段により判定された相手に応じて、応答装置による異なる応答処理を実施する応答制御手段とを備えた扉応答システムが開示されている。このシステムでは、音声認識等によって、例えば、新聞等の集金人、荷物宅配業者等を識別して、応答装置から、対応した音声を選択して出力することができる。
【先行技術文献】
【特許文献】
【０００４】
【特許文献１】特開2008-258727号公報
【発明の開示】
【発明が解決しようとする課題】
【０００５】
しかしながら、上述したロビー内に配置された宅配物ロッカーを監視して、認証が成功すると、住戸宛に宅配物が届いていることを音声で報知するシステムでは、その音声が全ての居住者に対して共通になっているので、居住者が高齢者、あるいは外国人の場合、その音声が聞き取れない、あるいは理解できないという問題があった。
【０００６】
そこで、本発明は、そのような住戸宛に宅配物が届いていることを報知する音声を、外国人や高齢者等の居住者でも聞き取れる、あるいは理解できるようにカスタマイズする機能を有したシステムを提供することを目的とする。
【課題を解決するための手段】
【０００７】
本発明による集合住宅用セキュリティシステムは、居住者を認証する認証装置と、居住者宛の宅配物を保存する宅配物ロッカーと、前記認証装置によって自動的に開錠または開放されるエントランス扉と備え、前記認証装置は、帰宅した居住者の認証が成功すると、前記エントランス扉を開錠または開放させると共に、前記宅配物ロッカーに該居住者宛の宅配物が保存されているか否かを判断して、前記宅配物が保存されていれば、所定の音声を出力して、宅配物が保存されていることを報知するようにした集合住宅用セキュリティシステムであって、各住戸に設置された住戸端末装置は、前記音声に関するユーザ設定として、言語の種別を登録操作するための操作部を備え、前記認証装置は、前記宅配物が保存されていることを報知する際には、前記住戸端末装置で登録操作された種別の音声言語を選択して出力することを特徴とする。ここで、エントランス扉は、住棟ロビーの入り口に設けられており、認証装置は、そのエントランス扉の近傍に設置されている。また、宅配物ロッカーは、住棟ロビー内に設けられている。
【０００９】
また、前記住戸端末装置は、前記ユーザ設定として、前記音声の音量を登録する構成とし、前記認証装置は、前記住戸端末装置で登録された音量で、前記音声を出力するようにしてもよい。
【発明の効果】
【００１０】
本発明による集合住宅用セキュリティシステムでは、各住戸に設置された住戸端末装置において、宅配物が保存されていることを報知する音声に関するユーザ設定を登録し、認証装置は、宅配物が保存されていることを報知する際には、その登録されたユーザ設定に対応した音声を選択して出力するので、ユーザ設定の各項目を自身に適したものにするだけで、その音声を容易に聞き取れる、あるいは理解できるようになる。また、住戸内で設定を行うことができるので、住棟管理人等の手を煩わせることがない、プライバシーが守られる等の利点もある。
【００１１】
ユーザ設定として、言語の種別を登録する構成では、居住者が外国人であっても、認証装置が出力する音声の内容が理解できるようになる。
【００１２】
ユーザ設定として、音量を登録する構成では、居住者が高齢者であっても、音声レベルを高く設定することで、認証装置が出力する音声が聞き取れるようになる。
【図面の簡単な説明】
【００１３】
【図１】は、実施例の要部構成を示したシステム図である。
【図２】は、ユーザ設定と、認証装置が出力する音声との対応関係を示した表である。
【図３】は、実施例の基本動作の手順を示したフローチャートである。
【発明を実施するための形態】
【００１４】
図１は、本発明による集合住宅用セキュリティシステムの実施例を要部構成のみ示したシステム図である。ここで、エントランス扉１４は、住棟ロビー１１の入り口に設けられており、認証装置１２は、そのエントランス扉１４の近傍に設置されている。エントランス扉１４は、認証装置１２によって開錠または開放制御される。また、住棟ロビー１１内には、居住者宛の宅配物を保存する宅配物ロッカー１３が設けられている。
【００１５】
認証装置１２は、非接触式カード、指紋による生体認証等の方法によって、居住者を認証するもので、認証操作部（図示しない）、表示部（図示しない）、音声出力部（図示しない）等を備える。そして、居住者が認証操作をして、その認証が成功すると、エントランス扉１４を開錠または開放させると共に、宅配物ロッカー１３にその居住者宛の宅配物が保存されているか否かを判断し、宅配物が保存されていれば、所定の音声を出力して、宅配物が保存されていることを報知する機能を有する。認証のための登録情報は、制御装置３２において登録、保存されている。あるいは、制御装置３２で登録した情報を伝送して、認証装置１２に保存する構成としてもよい。
【００１６】
エントランス扉１４は、電子錠を備えるか、あるいは自動扉として構成されており、認証装置１２によって、解錠あるいは開放制御される。
【００１７】
宅配物ロッカー１３は、居住者宛の宅配物の保管場所となるもので、各部屋毎に区切られた保管スペース（図示しない）と、そのスペースに宅配物があるか否かを検知する検知手段（図示しない）とを備え、制御装置３２に対して、宅配物の有無を通知する機能を有する。
【００１８】
また、各住戸２１には、操作部２３等を有した住戸端末装置２２を備え、操作部２３では、認証装置１２が出力する上記音声に関してユーザ設定を登録操作できるようになっている。一方、管理人室３１には、認証装置１２、宅配物ロッカー１３、住戸端末装置２２を制御する制御装置３２を備える。
【００１９】
ユーザ設定の項目は、例えば、言語種別、音量等がまず考えられるが、これに限定されない。なお、ユーザ設定は、住戸端末装置２２に保存しもよいし、制御装置３２に保存してもよい。
【００２０】
本発明によるセキュリティシステム１は、少なくともロビーインターホンと、住戸インターホンとを有したインターホンシステムに組み合わせてもよい。この場合、認証装置１２、住戸端末装置２２は、それぞれ、インターホンシステムにおけるロビーインターホン、住戸インターホンとして構成する。また、更に、制御装置３２に警報監視盤としての機能を持たせ、住宅端末装置２２には、火災センサやガス漏れセンサ等を付加し、異常を検知したときには、制御装置３２に通知するようにしてもよい。
【００２１】
図２は、住戸端末装置２２におけるユーザ設定と、認証装置１２が出力する音声との対応関係を示した表である。ユーザ設定の項目には、例えば、音声の言語種別、音量等がある。具体的には、言語の種別として、日本語、英語のいずれかが選択設定できる。なお、認証装置１２には、日本語の音声言語として「宅配ボックスをご確認下さい」のようなメッセージと、英語の音声言語として「プリーズ・チェック・デリバリー・ボックス」のようなメッセージが予め準備されている。
【００２２】
また、ユーザ設定の項目には、居住者の年齢もあり、高齢者が選択されると、音量として大音量が設定され、その他が選択されると、標準音量が設定される。なお、ユーザ設定の項目として、大音量、標準音量を直接選択するようにしてもよい。
【００２３】
従って、居住者は、ユーザ設定の各項目を自身に適したものにするだけで、その音声を容易に聞き取れる、あるいは理解できるようになる。また、住戸内でその設定を行うことができるので、住棟管理人等の手を煩わせることがない、プライバシーが守られる等の利点もある。
【００２４】
特に、ユーザ設定の項目として、言語の種別を登録する構成では、居住者が外国人であっても、認証装置１２が出力する音声の内容が理解できるようになる。また、ユーザ設定の項目として、音量を登録する構成では、居住者が高齢者であっても、音声レベルを高く設定することで、認証装置１２が出力する音声が聞き取れるようになる。
【００２５】
図３は、実施例の基本動作の手順を示したフローチャートである。この手順によれば、まず、認証装置１２で居住者の認証を行い、認証が成功した場合は、その居住者の住戸を特定する（ステップ１０１、１０２）。
【００２６】
次いで、宅配物ロッカー１３に、その居住者宛の宅配物があるか否かを検知し、その結果、宅配物があれば、特定した住戸端末装置２２におけるユーザ設定を参照して、認証装置１２から出力すべき音声の言語の種別を判断する。また、このとき、音量についても同様に判断する（ステップ１０３〜１０５）。
【００２７】
ここで、言語の種別が日本語であれば、日本語の音声言語を設定された音量で出力する。一方、言語の種別が英語であれば、英語の音声言語を出力する（ステップ１０６、１０７）。
【００２８】
なお、変形例として、住棟ロビー１１に設置した郵便受けに郵便物があるか否かを検知するようにして、郵便物があれば、上記と同様に、郵便物があることを認証装置１２から音声によって報知するようにしてもよい。
【符号の説明】
【００２９】
１    セキュリティシステム
１１  住棟ロビー
１２  認証装置
１３  宅配物ロッカー
１４  エントランス扉
２１  住戸
２２  住戸端末装置
２３  操作部
【図１】
0005448055.tif 000002
【図２】
0005448055.tif 000003
【図３】
0005448055.tif 000004